(57)【要約】【課題】  視聴者とスクリーンとの距離に係らず、視聴者が識別しうる解像度に基づき、視聴者が同一の大きさと視認する画像を生成して投写する。【解決手段】  プロジェクタ１は、ズームレンズ１６２と、スクリーンＳＣに投写された画像を見る視聴者８０とスクリーンＳＣとの距離情報を取得する距離情報取得部５２と、距離情報に基いて、視聴者８０が視覚的に識別しうる最大解像度に基づく表示解像度を決定する解像度決定部５４と、表示解像度で画像を投写すべく、ズームレンズ１６２の光学系の焦点位置を駆動する投写レンズ制御手段６６とを備える。【選択図】      図３
2007065542.tif 000002
【特許請求の範囲】
【請求項１】
映像信号に基づき生成された画像を投写対象物に投写する画像投写装置であって、
投写された画像の表示解像度を変化させる投写レンズと、
前記投写対象物に投写された画像を見る視聴者と前記投写対象物との距離情報を取得する距離情報取得部と、
前記距離情報に基づいて、前記視聴者が視覚的に識別しうる最大解像度に基づく前記表示解像度を決定する解像度決定部と、
前記表示解像度で前記画像を投写すべく、前記投写レンズを制御する投写レンズ制御手段とを備えることを特徴とする画像投写装置。
【請求項２】
請求項１に記載の画像投写装置において、
前記解像度決定部は、
前記距離情報が示す距離との積が一定となる前記最大解像度に基づいて決定することを特徴とする画像投写装置。
【請求項３】
請求項２に記載の画像投写装置において、
前記解像度決定部は、前記最大解像度の決定に際して、
Ｙ×Ｚ＝ｋ
Ｙ：前記投写対象物と前記視聴者との距離（単位：センチメートル）
Ｚ：前記最大解像度（単位：ＰＰＩ［１インチあたりの画素数］）
ｋ：定数（前記視聴者の視力が１．０の場合、２．５４／ｔａｎ（１／６０度））
で示される演算式に基づき決定することを特徴とする画像投写装置。
【請求項４】
請求項１乃至３のいずれか１項に記載の画像投写装置において、
前記表示解像度に応じて、前記投写する光量を変化させることにより、
前記投写される画像の明るさを略一定に保つ投写光量制御部を更に備えることを特徴とする画像投写装置。
【請求項５】
請求項１乃至４のいずれか１項に記載の画像投写装置において、
前記解像度決定部は、
前記表示解像度を補正する補正手段を有することを特徴とする画像投写装置。
【請求項６】
請求項１乃至５のいずれか１項に記載の画像投写装置において、
前記距離情報取得部は、
前記画像投写装置を指示するべくリモコンから発せられる信号に基づいて、前記距離情報を取得することを特徴とする画像投写装置。
【発明の詳細な説明】
【技術分野】
【０００１】
本発明は、画像を投写して表示する画像投写装置に関する。
【背景技術】
【０００２】
従来、画像を表示する画像表示装置の表示手段は、液晶パネルやプラズマディスプレイパネルなどの表示デバイスを構成する画素数により解像度が決定され、視聴者との距離に関係無く、常に同じ解像度で画像を表示していた。
また、下記特許文献１に記載の装置は、視聴者と表示手段との距離が遠くなった場合には、表示画像を拡大し、視聴者と表示手段との距離が近くなった場合には、表示画像を縮小して表示することにより、視聴者が見る画像の見かけ上の解像度を、一定に保っていた。
【０００３】
【特許文献１】特開２０００−２７６１２３号公報
【発明の開示】
【発明が解決しようとする課題】
【０００４】
しかしながら、上述した装置は、表示手段を構成する画素から成る表示画面の大きさを変えることなく、視聴者が見る画像の見かけ上の解像度を一定に保つため、表示画像の拡大により、入力画像データの一部を表示する事ができない。従って、視聴者は、入力画像データの全情報を見る事ができないという問題が生じた。また、表示画像の縮小により、表示画面の周辺部に画像が表示されない領域が生じた。従って、視聴者は、表示された画像に対して不自然さを感じた。
【課題を解決するための手段】
【０００５】
上記した課題を解決するために、本発明の画像投写装置は、映像信号に基づき生成された画像を投写対象物に投写する画像投写装置であって、投写された画像の表示解像度を変化させる投写レンズと、前記投写対象物に投写された画像を見る視聴者と前記投写対象物との距離情報を取得する距離情報取得部と、前記距離情報に基づいて、前記視聴者が視覚的に識別しうる最大解像度に基づく前記表示解像度を決定する解像度決定部と、前記表示解像度で前記画像を投写すべく、前記投写レンズを制御する投写レンズ制御手段とを備えることを特徴とする。
この発明によれば、画像投写装置は、視聴者と投写対象物との距離に応じて、この視聴者が識別しうる最大解像度に基づく表示解像度で画像を投写するため、視聴者は、自身の位置に依らず、視覚的に適した画像を視認できる。更に、投写レンズにより、投写される画像の表示解像度は、滑らかに変化するため、視聴者の位置の変動に対して、自然な感覚で画像全体の大きさを変化させることができる。
【０００６】
本発明の画像投写装置では、前記解像度決定部は、前記距離情報が示す距離との積が一定となる前記最大解像度に基づいて決定することが好ましい。
この発明によれば、解像度決定部は、投写された画像を見る視聴者と前記投写対象物との距離に従った適切な解像度を決定できる。
【０００７】
本発明の画像投写装置では、前記解像度決定部は、前記最大解像度の決定に際して、
Ｙ×Ｚ＝ｋ
Ｙ：前記投写対象物と前記視聴者との距離（単位：センチメートル）
Ｚ：前記最大解像度（単位：ＰＰＩ［１インチあたりの画素数］）
ｋ：定数（前記視聴者の視力が１．０の場合、２．５４／ｔａｎ（１／６０度））
で示される演算式に基づき決定しても良い。
【０００８】
本発明の画像投写装置では、前記表示解像度に応じて、前記投写する光量を変化させることにより、前記投写される画像の明るさを略一定に保つ投写光量制御部を更に備えることが好ましい。
この発明によれば、画像投写装置は、表示解像度に依らず、投写する画像の明るさを一定に保持できる。
【０００９】
本発明の画像投写装置では、前記解像度決定部は、補正手段を有することが好ましい。
この発明によれば、画像投写装置は、表示解像度を補正できる。
【００１０】
本発明の画像投写装置では、前記距離情報取得部は、前記画像投写装置を指示するべくリモコンから発せられる信号に基づいて、前記距離情報を取得しても良い。
【発明を実施するための最良の形態】
【００１１】
以下、本発明の実施形態について、画像投写装置の一例として、液晶ライトバルブ方式のプロジェクタ１を用いて説明する。
（実施形態）
【００１２】
（ハードウェア構成）
図１は、プロジェクタ１のハードウェア構成を示す図である。このプロジェクタ１は、ＣＰＵ（Central Processing Unit）３０と、ＲＯＭ（Read Only Memory）２８と、ＲＡＭ（Random Access Memory）２６と、ビデオデコーダ１２と、ビデオプロセッサ１４と、画像メモリ１０と、ライトバルブ駆動回路１６と、ランプ制御回路１８と、ズームレンズ駆動回路２０と、距離検出回路２２と、角度検出回路２４と、入力Ｉ／Ｆ（Interface）３２とを備える。また、これらのハードウェアは、バス３４により各信号が授受可能に接続されている。
【００１３】
ＣＰＵ３０は、ＲＯＭ２８に格納された基本制御プログラムなどの各種プログラム及びデータを読み込み、これらの各種プログラム及びデータをＲＡＭ２６内に設けられるメインメモリ領域に展開して実行し、プロジェクタ１が備える各部の制御を実行する。
【００１４】
入力Ｉ／Ｆ３２は、操作リモコン４４から送られた光や音波等に重畳された操作信号を受信する受信回路４２の信号と、画像信号入力端子４０に入力された画像信号とを入力するインターフェイスである。
【００１５】
ビデオデコーダ１２は、画像信号入力端子４０に入力されたアナログ画像信号に対してＡ／Ｄ変換を行い、ビデオプロセッサ１４に入力可能なデジタル画像信号に変換する。また、ビデオプロセッサ１４は、画像信号入力端子４０から入力されたデジタル画像信号やビデオデコーダ１２で変換されたデジタル画像信号を入力して、種々の画像処理を実行する。この画像処理により、例えば、デジタル画像の各画素は赤、緑、青の各色光に分解されて、各色光毎に画像信号が生成されたり、投写された画像に生じる台形状の歪み（キーストーン）が除去される。更に、画像メモリ１０は、これらの画像処理を行うために、デジタル画像信号を一時的に保管するためのメモリである。
【００１６】
ライトバルブ駆動回路１６は、ビデオプロセッサ１４により生成された各色光ごとの画像信号に従い、各色光毎の液晶ライトバルブ１４０を構成する各画素に駆動電圧を供給する。この液晶ライトバルブ１４０の詳細は後述する。
【００１７】
ランプ制御回路１８は、光源１１１に供給する電力を制御することにより、投写される画像の照度を調整する。
【００１８】
ズームレンズ駆動回路２０は、ズームレンズ１６２のレンズ移動手段１６４を駆動する。このズームレンズ１６２については後述する。
【００１９】
距離検出回路２２は、ズームレンズ１６２の合焦位置検出手段１６６から出力される電気信号と、距離センサ４８から出力される電気信号とを入力して、距離に関する情報を検出する。この距離センサ４８は、例えば、プロジェクタ１に設置されると共に、図示を略した受光手段を有し、操作リモコン４４から発光された光が、受光手段に入射する位置や強度等により、プロジェクタ１と、操作リモコン４４を操作する視聴者８０（図４（ａ））との距離情報を含む電気信号を出力する。尚、この距離センサ４８は、光による方法には限定されず、超音波や電波等による方法も採用できる。
【００２０】
角度検出回路２４は、角度センサ４６から出力される電気信号から、角度に関する情報を検出する。この角度センサ４６は、例えば、プロジェクタ１に設置されると共に、前記した操作リモコン４４からの信号に基づき、プロジェクタ１と視聴者８０とが成す角度情報を含む電気信号を出力する。また、操作リモコン４４の内部にＧＰＳ（Global Positioning System）のような位置検出手段を具備し、操作リモコン４４から発せられる指示信号に含まれる位置情報から検出しても良い。
【００２１】
尚、詳細は後述するが、このような距離センサ４８と角度センサ４６は、スクリーンＳＣと視聴者８０との視距離Ｙ（図４（ａ））を検出すべく設置するものであり、例えば、距離センサ４８をスクリーンＳＣ近傍に設置して、この距離センサ４８からの電気信号をプロジェクタ１で受信することにより、角度センサ４６および角度検出回路２４は設けない様態も想定できる。また、距離センサ４８と角度センサ４６とは、一体であっても良く、例えば、ＣＣＤ（Charge Coupled Device）のような撮像素子によりスクリーンＳＣと視聴者８０とを俯瞰的に撮影して、画像処理により前記した視距離を算出しても良い。
【００２２】
（光学系の構成）
図２は、プロジェクタ１の光学系の構成を説明するための構成図であり、光源から射出された光が、スクリーンに至るまでの光路を示している。この図２に示すように、光学装置１００は、照明光学系１１０と、投写画像生成部１７０と、投写光学系１６０とを備えている。
【００２３】
照明光学系１１０は、光源１１１と、第１のレンズアレイ１１２と、第２のレンズアレイ１１３と、偏光変換素子１１４と、重畳レンズ１１５とを備えており、光源１１１から射出された光線束は、微小なレンズ１１２ａがマトリクス状に配置された第１のレンズアレイ１１２によって多数の微小な光線束に分割される。第２のレンズアレイ１１３及び重畳レンズ１１５は、分割された光線束のそれぞれが、照明対象である３つの液晶ライトバルブ１４０Ｒ，１４０Ｇ，１４０Ｂの全体を照射するように備えられている。このため、各光線束が液晶ライトバルブ１４０Ｒ，１４０Ｇ，１４０Ｂで重畳され、液晶ライトバルブ１４０Ｒ，１４０Ｇ，１４０Ｂの全体がほぼ均一に照射される。尚、光源１１１から射出される光束の照度は、投写光量制御部６０（図３）の指示に従い増減される。
【００２４】
偏光変換素子１１４は、光源１１１からの非偏光な光を液晶ライトバルブ１４０Ｒ，１４０Ｇ，１４０Ｂで効率よく利用可能とするため、特定の偏光方向を有する光に揃える機能を有している。照明光学系１１０を射出した光は、色光分離光学系１２０に入射する。
【００２５】
投写画像生成部１７０は、色光分離光学系１２０と、リレー光学系１３０と、光変調装置としての３つの液晶ライトバルブ１４０Ｒ，１４０Ｇ，１４０Ｂと、クロスダイクロイックプリズム１５０とを備える。この投写画像生成部１７０は、画像信号生成部７０（図３）から入力された画像信号に基づく光学像を、投写可能に生成する。
【００２６】
色光分離光学系１２０は、照明光学系１１０から射出された光を、波長域の異なる３色の光に分離する。第１のダイクロイックミラー１２１は、略赤色の光を透過させるとともに、透過する光よりも短波長の光を反射する。第１のダイクロイックミラー１２１を透過した赤色光Ｒは、反射ミラー１２２で反射されて赤色光用の液晶ライトバルブ１４０Ｒを照射する。
【００２７】
第１のダイクロイックミラー１２１で反射された光のうち、緑色光Ｇは、第２のダイクロイックミラー１２３によって反射されて緑色光用の液晶ライトバルブ１４０Ｇを照射する。また、青色光Ｂは、第２のダイクロイックミラー１２３を透過し、リレー光学系１３０を通過して、青色光用の液晶ライトバルブ１４０Ｂを照射する。
【００２８】
なお、青色光Ｂの経路は、他の色光の経路に比べて長くなることから、光線束の発散によって液晶ライトバルブ１４０Ｂへの照明効率が低下するのを抑制するために、青色光Ｂの経路には、リレー光学系１３０が設けられている。
【００２９】
リレー光学系１３０は、入射側レンズ１３１と、第１の反射ミラー１３２と、リレーレンズ１３３と、第２の反射ミラー１３４と、射出側レンズ１３５とを備えている。色光分離光学系１２０から射出した青色光Ｂは、入射側レンズ１３１によってリレーレンズ１３３の近傍で収束し、射出側レンズ１３５に向けて発散する。
【００３０】
液晶ライトバルブ１４０Ｒ，１４０Ｇ，１４０Ｂのそれぞれは、液晶パネル１４１と、入射側偏光板１４２と、射出側偏光板１４３とを備えており、入射した光を変調して画像（光学像）を形成する。
【００３１】
液晶パネル１４１の入射側表面及び射出側表面には、それぞれ入射側偏光板１４２及び射出側偏光板１４３が貼り付けられている。入射側偏光板１４２及び射出側偏光板１４３は、それぞれ特定の方向に偏光した光のみを透過可能とし、入射側偏光板１４２は、偏光変換素子１１４によって揃えられた方向に偏光した光を透過可能としている。このため、各液晶ライトバルブ１４０Ｒ，１４０Ｇ，１４０Ｂに入射する各色光の大部分は入射側偏光板１４２を透過して、液晶パネル１４１に入射する。
【００３２】
ここで、液晶パネル１４１の各画素に、画像信号に応じた駆動電圧が印加されると、液晶パネル１４１の画素領域に入射した光は、駆動電圧に応じて変調され、画素毎に異なる偏光方向を有した光となる。この光のうち、射出側偏光板１４３を透過可能な偏光成分のみが液晶ライトバルブ１４０Ｒ，１４０Ｇ，１４０Ｂから射出される。つまり、液晶ライトバルブ１４０Ｒ，１４０Ｇ，１４０Ｂが、画像信号に応じて、画素毎に異なる透過率で入射光を透過させることによって、階調を有する光学像が色光毎に形成される。液晶ライトバルブ１４０Ｒ，１４０Ｇ，１４０Ｂから射出した各色光からなる光学像は、クロスダイクロイックプリズム１５０に入射する。
【００３３】
クロスダイクロイックプリズム１５０は、各液晶ライトバルブ１４０Ｒ，１４０Ｇ，１４０Ｂから射出された各色の光学像を、画素毎に合成してカラー画像を表す光学像を形成する。クロスダイクロイックプリズム１５０によって合成された光学像は、投写光学系１６０に入射する。
【００３４】
投写光学系１６０は、入射された光学像を拡大して投写することで、スクリーンＳＣ等に投写画像を表示する。尚、本実施形態では、投写光学系１６０にズームレンズ１６２を適用する。このズームレンズ１６２は、例えばリニアアクチュエータから成るレンズ移動手段１６４の駆動に伴い、光学系を構成する第１の所定のレンズが移動する。この結果、結像位置を同一面に保ちつつ、構成する光学系の焦点位置が移動すると共に、このズームレンズ１６２で投写される画像の大きさを示す表示解像度は、この移動に応じて変動する。尚、このような所定のレンズを移動させる方法としては、所定のレンズが一体として移動する光学式補正型や、所定のレンズがそれぞれ連携して移動する機械式補正型を適用できる。
【００３５】
また、スクリーンＳＣ上に投写された画像のピントを合わせる際に、第２の所定のレンズを移動させた移動量は、スクリーンＳＣまでの距離に対応するため、例えばリニアエンコーダを具備する合焦位置検出手段１６６は、このレンズの移動量に基づいて、スクリーンＳＣまでの距離を検出する。尚、ズームレンズ１６２は、これらの所定のレンズを内部で移動させる方式に限定されず、レンズの厚みを連続的に変化させることで焦点位置を変える方式も適用できる。
【００３６】
（機能構成）
図３は、プロジェクタ１の機能構成を示す機能ブロック図である。このプロジェクタ１は、操作信号入力部５０と、距離情報取得部５２と、解像度決定部５４と、視力入力部５８と、投写光量制御部６０と、投写距離検出部６４と、投写レンズ制御手段６６と、映像信号処理部６８と、画像信号生成部７０と、映像信号入力部７２とを備える。尚、これらの機能部は、前記したハードウェア資源と、ソフトウェアとが有機的に協働することで実現される。
【００３７】
操作信号入力部５０は、操作リモコン４４から送信された信号を入力すると共に、入力した信号を各機能部に転送する。
【００３８】
映像信号処理部６８は、映像信号入力部７２から入力される映像信号から、時系列的に連続した画像フレームで構成されるデジタル画像の信号を生成する。生成された信号は、画像信号生成部７０に送られる。
【００３９】
画像信号生成部７０は、映像信号処理部６８から入力されるデジタル画像の信号から投写可能な画像の信号を生成する。生成された信号は、光学装置１００の投写画像生成部１７０に送られる。
【００４０】
投写距離検出部６４は、プロジェクタ１とスクリーンＳＣとの距離を、合焦位置検出手段１６６が検出した合焦位置に基づいて算出する。算出された距離の情報は、距離情報取得部５２に送られる。
【００４１】
距離情報取得部５２は、スクリーンＳＣに投写された画像を見る視聴者８０とスクリーンＳＣとの距離情報を取得する。具体的には、距離情報取得部５２は、距離センサ４８が検出したプロジェクタ１と視聴者８０の距離情報と、角度センサ４６が検出したプロジェクタ１と視聴者８０とが成す角度情報とを取得すると共に、投写距離検出部６４から出力されたプロジェクタ１とスクリーンＳＣの距離情報を取得することにより、これらの情報を用いて演算を行い、スクリーンＳＣと視聴者８０との距離、即ち、スクリーンＳＣを見る視聴者８０の視距離Ｙを算出する。算出された視距離Ｙの情報は、解像度決定部５４に送られる。
【００４２】
解像度決定部５４は、距離情報取得部５２から送られた視距離Ｙに基づいて、プロジェクタ１が投写する画像の表示解像度を決定する。ここで、投写する画像の表示解像度と、この解像度に適した視距離との関係について説明する。
【００４３】
人間の目の分解能は、視力が１．０の場合、６０［ｐｉｘｅｌ／ｄｅｇｒｅｅ］であることが知られている。ここで、投写する画像の表示解像度を、Ｚ［ｐｐｉ］（ｐｐｉは、１インチあたりの画素数）とすると、この人間の最適な視距離Ｙ０［ｃｍ］と投写する画像の表示解像度との関係は、三角関数の定理から、次式のように両者の積が一定な関係式で示せる。
Ｙ０×Ｚ＝ｋ  ・・・「式１」
但し、ｋは定数であって、ｋ＝２．５４／ｔａｎ（１／６０度）。
【００４４】
また、上記した式から、任意の視距離Ｙに対して、この人間が識別可能な最大解像度Ｚ０［ｐｐｉ］を求めることもできる。更に、スクリーンＳＣに対する視聴者８０の視距離をＹ［cｍ］、現在の画面サイズをＷ［cｍ］×Ｈ［cｍ］とすると、この最大解像度Ｚ０を維持すべく最適な画面サイズＰＷ［cｍ］×ＰＨ［cｍ］は、次式で示せる。
ＰＷ＝Ｗ×Ｙ／Ｙ０  ・・・「式２」
ＰＨ＝Ｈ×Ｙ／Ｙ０  ・・・「式３」
【００４５】
尚、本実施形態では、投写する液晶パネル１４１の画素数は、１９２０［ｐｉｘｅｌ］×１０８０［ｐｉｘｅｌ］であり、図５は、「式１」〜「式３」を用いて視距離Ｙに応じた、最大解像度Ｚ０および最適な画面サイズＰＷ×ＰＨの関係を示す。
【００４６】
このように、解像度決定部５４は、視距離Ｙでの最大解像度Ｚ０の値を算出した後、ズームレンズ１６２の能力を参酌し、最大解像度Ｚ０に基づく画面サイズＰＷ×ＰＨと可能な限り略同一なサイズでスクリーンＳＣに画像を投写できる表示解像度を決定する。決定された表示解像度の情報は、投写レンズ制御手段６６と、投写光量制御部６０とに送られる。
【００４７】
また、解像度決定部５４は、視力補正手段５６を具備する。この視力補正手段５６は、視力入力部５８から視聴者８０自身の視力が入力されるのを受けて、上記したｋの値を適切に補正する。具体的には、視力に応じた目の分解能を入力することで、ｋの値が増減する。この結果、視聴者８０との距離に応じた表示解像度は、視聴者８０の視力も加味されて決定される。このように、表示解像度を決定するに当たり、プロジェクタ１の特性や、プロジェクタ１の設置環境に応じて、最大解像度Ｚ０の値に対して種々の補正処理が施されても良い。
【００４８】
投写レンズ制御手段６６は、解像度決定部５４から送られる表示解像度で投写すべく、ズームレンズ１６２のレンズ移動手段１６４を駆動させる。具体的には、ズームレンズ１６２の第１の所定のレンズの位置と表示解像度との関係を示す情報は、ＲＯＭ２８等に予め記憶されており、投写レンズ制御手段６６は、この情報に基づいて第１の所定のレンズの位置を決め、レンズ移動手段１６４に当該位置への移動を指示する。
【００４９】
投写光量制御部６０は、解像度決定部５４から送られる表示解像度で画像を投写する際に、この画像の明るさを一定にすべく、光源１１１の光量を調整する。具体的には、表示解像度と、設定する照度との関係を示す情報は、ＲＯＭ２８等に予め記憶されており、投写光量制御部６０は、この情報に基づいて光源１１１から射出する光量を決め、ランプ制御回路１８に指示する。
【００５０】
上記した構成において、スクリーンＳＣを見る視聴者８０が移動した場合における表示画像の大きさの変動を、図４に従い説明する。尚、説明及び理解を容易にすべく、視聴者８０は、プロジェクタ１の光軸上を移動すると想定する。図４（ａ）は、視聴者８０と、スクリーンＳＣと、プロジェクタ１との位置関係を示す。また、図４（ｂ）は、視距離Ｙ１におけるスクリーンＳＣ上の投写画像を示し、図４（ｃ）は、視距離Ｙ２におけるスクリーンＳＣ上の投写画像を示す。最初に、視距離がＹ１である視聴者８０Ａの位置からスクリーンＳＣを見る場合、距離情報取得部５２は、視距離Ｙ１を取得し、投写レンズ制御手段６６は、この視距離Ｙ１に応じた表示解像度を設定することにより、スクリーンＳＣ上には、幅がＰＷ１で高さがＰＨ１の大きさの投写画像８２Ａが表示される。
【００５１】
次に、視聴者８０Ｂの位置に移動した場合、距離情報取得部５２は、視距離Ｙ２を取得し、投写レンズ制御手段６６は、この視距離Ｙ２に応じた表示解像度を設定することに加え、投写光量制御部６０は、光源１１１の照度を制御することにより、スクリーンＳＣ上には、幅がＰＷ２で高さがＰＨ２の大きさの投写画像８２Ｂが表示される。この結果、視聴者８０は、移動前に見た投写画像８２Ａと移動後に見る投写画像８２Ｂとが、同じ大きさであると共に、同じ明るさであることを視認する。尚、視聴者８０は、移動中の状態において、表示解像度を連続して変動させるか、または表示解像度を一定時間をおいて間欠的に変動させるかを設定できる。また、視聴者８０が、プロジェクタ１の光軸上以外の領域を移動する場合も、前記と同様の効果を奏する。
【００５２】
（処理フロー）
図６は、プロジェクタ１の処理の流れを示すフローチャートであり、この図を参照して、プロジェクタ１で動画像を表示する処理の流れを説明する。
【００５３】
このプロジェクタ１による処理が開始されると、最初に、距離情報取得部５２は、スクリーンＳＣを見る視聴者８０の視距離を測定する（ステップＳ２００）。
【００５４】
次に、解像度決定部５４は、視距離の情報から、投写する画像の表示解像度を決定する（ステップＳ２０５）。
【００５５】
続いて、投写レンズ制御手段６６は、決定された表示解像度で表示すべく、ズームレンズを駆動して焦点位置を設定する（ステップＳ２１０）。
【００５６】
次に、投写光量制御部６０は、決定された表示解像度で表示する画像の光量を設定する（ステップＳ２１５）。
【００５７】
次に、映像信号入力部に入力されたデジタル画像データの画像フレームが読み込まれる（ステップＳ２２０）。
【００５８】
次に、読み込まれた画像フレームは、光学装置１００で光学像に変換されて投写される（ステップＳ２３０）。
【００５９】
続いて、処理すべき画像フレームの有無がチェックされる（ステップＳ２３５）。ここで、処理すべき画像フレームが無い場合、即ち、表示すべき動画像データが終了した場合（ステップＳ２３５でＹｅｓ）、一連の処理を終了する。
【００６０】
他方で、処理すべき画像フレームが残存する場合、即ち、表示すべき動画像データが終了していない場合（ステップＳ２３５でＮｏ）、距離情報取得部５２は、視聴者８０の視距離を測定し（ステップＳ２４０）、視聴者８０の位置に変化があったか、否かを判定する（ステップＳ２４５）。
【００６１】
ここで、視聴者８０の位置に変化があった場合（ステップＳ２４５でＹｅｓ）、投写する画像の表示解像度を決定する工程（ステップＳ２０５）に戻る。他方で、視聴者８０の位置に変化が無い場合（ステップＳ２４５でＮｏ）、デジタル画像データの次の画像フレームを読み込む工程（ステップＳ２２０）に戻る。
【００６２】
上記した処理の流れにより、視聴者８０は、プロジェクタ１で動画像を投写中に、視距離を変えても、大きさと明るさが変化しない動画像を観賞できる。
【００６３】
以上、本発明を図示した実施形態に基づいて説明したが、本発明は、本実施形態に限定されるものではなく、以下に述べるような変形例も想定できる。
（１）画像投写装置１の光変調方法は、透過型の液晶ライトバルブ１４０を用いる方法に限定されず、反射型液晶素子であるＬＣＯＳ（Ｌｉｑｕｉｄ  Ｃｒｙｓｔａｌ  Ｏｎ  Ｓｉｌｉｃｏｎ）を用いた光変調方法や、マイクロミラーを用いたＤＭＤ（Ｄｉｇｉｔａｌ  Ｍｉｃｒｏｍｉｒｒｏｒ  Ｄｅｖｉｃｅ）による光変調方法であっても良い。
（２）画像を投写する方向は、スクリーンＳＣの前面の限らず、背面から投写しても良い。
【図面の簡単な説明】
【００６４】
【図１】本発明の実施形態に係るプロジェクタのハードウェア構成を示す図。
【図２】本発明の実施形態に係るプロジェクタの光学系の構成を説明するための構成図。
【図３】本発明の実施形態に係るプロジェクタの機能構成を示す機能ブロック図。
【図４】（ａ）は、視聴者とスクリーンとプロジェクタとの位置関係を示し、（ｂ）は、視距離におけるスクリーン上の投写画像を示し、（ｃ）は、視距離におけるスクリーン上の投写画像を示す図。
【図５】視距離に応じた、表示解像度および最適な画面サイズの関係を示す図。
【図６】本発明の実施形態に係るプロジェクタの処理の流れを示すフローチャート。
【符号の説明】
【００６５】
１…プロジェクタ、１０…画像メモリ、１２…ビデオデコーダ、１４…ビデオプロセッサ、１６…ライトバルブ駆動回路、１８…ランプ制御回路、２０…ズームレンズ駆動回路、２２…距離検出回路、２４…角度検出回路、２６…ＲＡＭ、２８…ＲＯＭ、３０…ＣＰＵ、３２…入力Ｉ／Ｆ、３４…バス、４０…画像信号入力端子、４２…受信回路、４４…操作リモコン、４６…角度センサ、４８…距離センサ、５０…操作信号入力部、５２…距離情報取得部、５４…解像度決定部、５６…視力補正手段、５８…視力入力部、６０…投写光量制御部、６４…投写距離検出部、６６…投写レンズ制御手段、６８…映像信号処理部、７０…画像信号生成部、７２…映像信号入力部、８０…視聴者、８２…投写画像、１００…光学装置、１１０…照明光学系、１１１…光源、１１２…第１のレンズアレイ、１１２ａ…レンズ、１１３…第２のレンズアレイ、１１４…偏光変換素子、１１５…重畳レンズ、１２０…色光分離光学系、１２１…第１のダイクロイックミラー、１２３…第２のダイクロイックミラー、１３０…リレー光学系、１３１…入射側レンズ、１３２…第１の反射ミラー、１３３…リレーレンズ、１３４…第２の反射ミラー、１３５…射出側レンズ、１４０…液晶ライトバルブ、１４１…液晶パネル、１４２…入射側偏光板、１４３…射出側偏光板、１５０…クロスダイクロイックプリズム、１６０…投写光学系、１６２…ズームレンズ、１６４…レンズ移動手段、１６６…合焦位置検出手段、１７０…投写画像生成部。
【図１】
2007065542.tif 000003
【図２】
2007065542.tif 000004
【図３】
2007065542.tif 000005
【図４】
2007065542.tif 000006
【図５】
2007065542.tif 000007
【図６】
2007065542.tif 000008